(57)【要約】      （修正有）【課題】シャッターの組み付けが容易で、回動軸が軸受部から外れ難く、軸受部分の剛性を高いカード用コネクタ装置のシャッター取付け構造を提供。【解決手段】シャッター１０の両側部に横方向へ延びる回動軸１２と、両ガイドフレームの前端部に回動軸１２の軸受部９が設けられ、回動軸１２は、円筒軸の軸受部位に周側面を切除した細幅部１３と、前記円筒軸より径大のフランジ部１４とを有し、軸受部９は、前記細幅部１３が回動自在に軸支される円弧状断面の軸受溝１５と、該軸受溝１５に連続し、細幅部１３のみが挿通可能に開放された細幅開口部１６と、該細幅開口部１６と同一方向に開口する幅拡開口部１７を有し、フランジ部１４が回動自在に係合する径大凹溝１８とで形成されており、シャッター１０が開閉する際の回動軸１２の回動範囲で、細幅部１３が細幅開口部１６の内端縁に干渉して回動軸１２の脱抜を阻止。【選択図】図４
2008146892.tif 000002
【特許請求の範囲】
【請求項１】
コネクタ部を取り付ける本体フレームと、該本体フレームの両側部に対向して設けられ、前記コネクタ部に電気的に接続するカード部材が案内保持されるガイド溝を有する一対のガイドフレームと、両ガイドフレームの前端部間に形成されるカード挿入口と、該カード挿入口を開閉するシャッターとを備えたカード用コネクタ装置のシャッター取付け構造であって、
前記シャッターの両側部に横方向へ延びる回動軸が設けられると共に、
前記両ガイドフレームの前端部に前記回動軸の軸受部が設けられ、
前記回動軸は、基本となる円筒軸の軸受部位に周側面を切除した細幅部と、前記円筒軸より径大のフランジ部とを有し、
前記軸受部は、前記円筒軸の前記細幅部が回動自在に軸支される円弧状断面の軸受溝と、該軸受溝に連続し、前記細幅部のみが挿通可能に開放された細幅開口部と、該細幅開口部と同一方向に開口する幅拡開口部を有し、前記フランジ部が回動自在に係合する径大凹溝とで形成されており、
前記シャッターが開閉する際の前記回動軸の回動範囲において、前記細幅部が前記細幅開口部の内端縁に干渉して前記回動軸の脱抜が阻止されることを特徴とするカード用コネクタ装置のシャッター取付け構造。
【請求項２】
前記フランジ部が、前記回動軸の自由端に設けられている請求項１記載のカード用コネクタ装置のシャッター取付け構造。
【請求項３】
前記フランジ部が、前記回動軸の中間部位に設けられている請求項２記載のカード用コネクタ装置のシャッター取付け構造。
【請求項４】
前記細幅部が、前記円筒軸の対向周側面を平行する平坦面で切除した小判形状に形成されている請求項１、２又は３記載のカード用コネクタ装置のシャッター取付け構造。
【発明の詳細な説明】
【技術分野】
【０００１】
本発明は、ＩＣカ−ド、ＰＣカ−ド等のカード部材を挿抜自在に装着するカード用コネクタ装置のカード挿入口に開閉自在に設けられるシャッターの取付け構造に関するものである。
【背景技術】
【０００２】
カード挿入口に開閉自在のシャッター部材を備えたカード用コネクタ装置は、種々知られている。
【０００３】
通常、シャッター部材を備えたカード用コネクタ装置は、コネクタ部を取り付ける本体フレームと、該本体フレームの両側部に対向して設けられ、前記コネクタ部に電気的に接続するカード部材が案内保持されるガイド溝を有する一対のガイドフレームと、両ガイドフレームの前端部間に形成されるカード挿入口とを具備し、前記カード挿入口にシャッター部材が開閉自在に設けられている。
【０００４】
シャッター部材をカード挿入口に取り付ける構造として、例えば、特許文献１には、シャッター部材を組み付けた支持フレームを別体に構成し、該支持フレームを前記両ガイドフレームの前端部に装着したものが開示されている。このようなシャッター取付け構造では、部品点数が増え、コスト高になるばかりでなく、コネクタ装置全体が嵩高になる。
【０００５】
一方、部品点数を削減し、シャッターを容易に組み付けることができるようにしたシャッター付きカード用コネクタ装置が、特許文献２に開示されている。該先行技術文献に記載されているシャッター取付け構造は、シャッターの両側部に回動軸が一体に設けられ、該回動軸は一側周面に平坦面を設けて細幅部に形成されており、一方、カード挿入口の下部両側に突設した支持プレートに軸受部が設けられ、該軸受部は、回動軸を軸支する軸受孔に連通し前記細幅部の平坦面の方向と合致したときのみ挿通可能とした細幅開口部が設けられていて、該細幅開口部を通じて回動軸が軸受孔に容易に装着できると共に、回動軸の回動範囲においては、回動軸が軸受部から外れないように構成されている。
【０００６】
このようなシャッター取付け構造は、シャッターを容易に組み付けることはできるが、軸受部を設ける支持プレートが横方向又は上下方向に弾性変形すると、回動軸が軸受部から外れてシャッターが脱落するおそれがある。特に、カード用コネクタ装置の軽量化、薄型化を図るために、コネクタ部を取り付ける本体フレームと、該本体フレームの両側部に対向して設けられる一対のガイドフレームとによってフレーム全体の外形をコ字形とし、前記両ガイドフレームの前端部に、上記のような細幅開口部を有する軸受部を設けると、前記両ガイドフレームが片持梁状となって前方へ延びているので、前記軸受部を設けた前端部は横方向及び上下方向に弾性変形しやすく、したがって、回動軸が前記軸受部から外れやすいため、上記したシャッター取付け構造を採用することは困難である。
【特許文献１】特開２００１−２５０６３０号公報
【特許文献２】特開２００３−３２３９３７号公報
【発明の開示】
【発明が解決しようとする課題】
【０００７】
本発明は、シャッターの組み付けが容易でありながら、回動軸が軸受部から外れ難くく、しかも軸受部分の剛性を高めることができるカード用コネクタ装置のシャッター取付け構造を提供することを目的とする。
【課題を解決するための手段】
【０００８】
上記目的を達成するために、コネクタ部を取り付ける本体フレームと、該本体フレームの両側部に対向して設けられ、前記コネクタ部に電気的に接続するカード部材が案内保持されるガイド溝を有する一対のガイドフレームと、両ガイドフレームの前端部間に形成されるカード挿入口と、該カード挿入口を開閉するシャッターとを備えたカード用コネクタ装置のシャッター取付け構造であって、前記シャッターの両側部に横方向へ延びる回動軸が設けられると共に、前記両ガイドフレームの前端部に前記回動軸の軸受部が設けられ、前記回動軸は、基本となる円筒軸の軸受部位に周側面を切除した細幅部と、前記円筒軸より径大のフランジ部とを有し、前記軸受部は、前記円筒軸の前記細幅部が回動自在に軸支される円弧状断面の軸受溝と、該軸受溝に連続し、前記細幅部のみが挿通可能に開放された細幅開口部と、該細幅開口部と同一方向に開口する幅拡開口部を有し、前記フランジ部が回動自在に係合する径大凹溝とで形成されており、前記シャッターが開閉する際の前記回動軸の回動範囲において、前記細幅部が前記細幅開口部の内端縁に干渉して前記回動軸の脱抜が阻止されることを特徴とする。
【０００９】
前記フランジ部は、前記回動軸の自由端側に設けるか、前記回動軸の中間部位に設けられる。また、前記シャッターを閉じる方向へ回動付勢するコイルばねの組み込みを容易にするため、前記フランジ部を先細の円錐台形状とすることが好ましい。
【発明の効果】
【００１０】
以上説明したように、本発明によれば、前記回動軸は、円筒軸の軸受部位に周側面を切除した細幅部と、前記円筒軸より径大のフランジ部とを有し、前記軸受部は、前記円筒軸の前記細幅部が回動自在に軸支される円弧状断面の軸受溝と、該軸受溝に連続し、前記細幅部のみが挿通可能に開放された細幅開口部と、該細幅開口部と同一方向に開口する幅拡開口部を有し、前記フランジ部が回動自在に係合する径大凹溝とで形成されており、前記シャッターが開閉する際の前記回動軸の回動範囲において、前記細幅部が前記細幅開口部の内端縁に干渉して前記回動軸の脱抜が阻止されるので、シャッターの組み付けは容易であるが、回動軸が軸受部から外れ難くく、特に、前記回動軸に設けたフランジ部によって、前記軸受部を設ける前記両カイドフレームの前端部の横方向への移動を効果的に阻止すると共に、こじり変形を防止して、軸受部分の剛性を高めることができる。
【００１１】
したがって、本発明のシャッター取付け構造は、カード用コネクタ装置の軽量化、薄形化を図るために、コネクタ部を取り付ける本体フレームと、該本体フレームの両側部に対向して設けられる一対のガイドフレームとによって、フレーム全体の外形をコ字形とした構造のカード用コネクタ装置に採用するのに好適である。
【発明を実施するための最良の形態】
【００１２】
以下、本発明の実施の形態を図面に基づいて説明する。
【００１３】
図１は、本発明によるシャッター取付け構造を備えたカード用コネクタ装置１の正面側（シャッター側）からみた斜視図であり、図２は背面側（コネクタ部側）からみた斜視図である。該カード用コネクタ装置１は、コネクタ部（ピンヘッダー）５を取り付ける本体フレーム２と、コネクタ部５に電気的に接続するカード部材２０（図１０及び図１１参照）が案内保持されるガイド溝４，４を有する一対のガイドフレーム３，３とで構成されるフレーム全体がコ字形をなし、両ガイドフレーム３，３の前端部間にカード挿入口６が形成される。本体フレーム２と両ガイドフレーム３，３は金属板等の導電性板材を折り曲げ加工して形成され、カード挿入口６を形成する両ガイドフレーム３，３の前端部には後述するシャッター１０を取り付けるための支持部材７，７が取り付けられている。支持部材７，７は合成樹脂などの絶縁性プラスチック材料により平面視Ｌ字形に成形され、カード挿入口６に向けて横方向へ延びる支持アーム部８，８が相対向して設けられている。該支持アーム部８，８にシャッター１０の軸受部９，９が設けられる。
【００１４】
シャッター１０は、図３及び図４に示すように、合成樹脂等の絶縁性プラスチック材料によりカード挿入口６を塞ぐ細長い板状体に成形され、両側部に横方向へ延びる回動軸１１，１２が一体に形成されている。一方の回動軸１１は、シャッター１０を常時閉じ方向へ回動付勢するコイルばね１９を装着するために長くなっている（図３参照）。
【００１５】
回動軸１１，１２は、基本的には円筒形軸であって軸受部９，９に支承される軸受部位に対向周側面を平行する平坦面で切除した小判形状の細幅部１３，１３が形成されていると共に、自由端に前記円筒軸より径大のフランジ部１４，１４が設けられている。なお、長くした回動軸１１の自由端に設けるフランジ部１４は、コイルばね１９の装着を容易にするため、図１３に示すように、先細の円錐台形状としてもよい。また、フランジ部１４，１４は、図１４に示すように、回動軸１１，１２の中間部位に設けてもよい。
【００１６】
軸受部９，９は、図４ないし図６に示すように、回動軸１１，１２の基本となる円筒軸が回動自在に軸支される円弧状断面の軸受溝１５，１５と、該軸受溝１５，１５に連続し、細幅部１３，１３のみが挿通可能で横方向に開放された細幅開口部１６，１６と、該細幅開口部１６，１６と同一方向に開口する幅拡開口部１７，１７を有し、フランジ部１４，１４が回動自在に係合する径大凹溝１８，１８とで形成されている。
【００１７】
図７ないし図９は、シャッター１０を両ガイドフレーム３，３の前端部に組み付ける作業状態を示している。シャッター１０は両ガイドフレーム３，３と平行になる横向きの姿勢で両支持部材７，７の間に位置される。このように位置された姿勢において、回動軸１１，１２の細幅部１３，１３が細幅開口部１６，１６を挿通可能となり、細幅開口部１６，１６を挿通した細幅部１３，１３が軸受溝１５，１５に回動自在に軸支されると共に、フランジ部１４，１４が径大凹溝１８，１８に回動自在に係合して組み付けが完了する。この組み付け状態において、シャッター１０は、一方の回動軸１１に装着したコイルばね１９によって、図５及び図６に示すようにカード挿入口６を塞ぐ閉じ位置に回動付勢される。このとき、回動軸１１，１２の細幅部１３，１３の側面が細幅開口部１６，１６の内端縁１６ａ，１６ａに干渉して、回動軸１１，１２が軸受溝１５，１５から脱抜するのを阻止されると共に、フランジ部１４，１４によって両支持部材７，７ひいては両ガイドフレーム３，３の横方向への移動が阻止される。
【００１８】
図１０ないし図１２は、カード部材２０がシャッター１０を押し上げてカード挿入口６から挿入され、ガイド溝４，４に案内保持されてコネクタ部５に電気的に接続された状態を示している。このときシャッター１０は、組み付け時の横向きの姿勢よりやや下向きに傾斜した姿勢になっているので、図１２に示すように、回動軸１１，１２の細幅部１３，１３の側面が細幅開口部１６，１６の内端縁１６ａ，１６ａに干渉して、回動軸１１，１２が軸受溝１５，１５から脱抜するのを阻止されている。したがって、シャッター１０が開閉する際の回動軸１１，１２の回動範囲において、細幅部１３，１３が細幅開口部１６，１６の内端縁１６ａ，１６ａに干渉して回動軸１１，１２は軸受溝１５，１５から脱抜するのを阻止されることになる。
【００１９】
上記した実施の形態において、図１及び図２に示すように、一方のガイドフレーム３の外側部に沿ってイジェクタ機構のスライダ２１が摺動可能に取り付けられている。該スライダ２１の一端は、本体フレーム２に枢支ピン２２を介して回動自在に取り付けた金属板製の作動レバー２３に係合し、スライダ２１の他端に取り付けた操作用摘み部２４が支持部材７を貫通して正面側に突出している。このようなイジェクタ機構は公知の構成であるから、詳細については説明を省略する。
【００２０】
なお、本発明に係るシャッター取付け構造は、イジェクタ機構を備えていないカード用コネクタ装置にも適用できるものである。
【図面の簡単な説明】
【００２１】
【図１】本発明に係るシャッター取付け構造を備えたカード用コネクタ装置の正面側からみた斜視図である。
【図２】同上カード用コネクタ装置の背面側からみた斜視図である。
【図３】同上カード用コネクタ装置のシャッター取付け部を示す要部拡大正面図である。
【図４】同上シャッターの軸受部分を拡大した分解斜視図である。
【図５】同上カード用コネクタ装置に組み付けたシャッターの閉じ位置における軸受部の拡大縦断側面図である。
【図６】同上カード用コネクタ装置に組み付けたシャッターの閉じ位置におけるフランジ部の拡大縦断側面図である。
【図７】シャッターの組み付け作業位置を示すカード用コネクタ装置の斜視図である。
【図８】図７の組み付け作業位置における軸受部の拡大縦断側面図である。
【図９】図７の組み付け作業位置におけるフランジ部の拡大縦断側面図である。
【図１０】同上カード用コネクタ装置にカード部材を装着した状態を示す斜視図である。
【図１１】図１０の１１−１１線に沿う一部切欠き断面図である。
【図１２】図１１の軸受部の拡大縦断側面図である。
【図１３】同上カード用コネクタ装置のシャッター取付け部の別の実施形態を示す要部拡大正面図である。
【図１４】同上カード用コネクタ装置のシャッター取付け部の更に別の実施形態を示す要部拡大正面図である。
【符号の説明】
【００２２】
１  カード用コネクタ装置
２  本体フレーム
３  ガイドフレーム
４  ガイド溝
５  コネクタ部（ピンヘッダー）
６  カード挿入口
７  支持部材
８  支持アーム部
９  軸受部
１０  シャッター
１１，１２  回動軸
１３  細幅部
１４  フランジ部
１５  軸受溝
１６  細幅開口部
１６ａ  内端縁
１７  幅拡開口部
１８  径大凹溝
１９  コイルばね
【図１】
2008146892.tif 000003
【図２】
2008146892.tif 000004
【図３】
2008146892.tif 000005
【図４】
2008146892.tif 000006
【図５】
2008146892.tif 000007
【図６】
2008146892.tif 000008
【図７】
2008146892.tif 000009
【図８】
2008146892.tif 000010
【図９】
2008146892.tif 000011
【図１０】
2008146892.tif 000012
【図１１】
2008146892.tif 000013
【図１２】
2008146892.tif 000014
【図１３】
2008146892.tif 000015
【図１４】
2008146892.tif 000016